(57)【要約】【課題】  電源ケーブルに繋がる種々の差込プラグに容易に装着可能で、安価で、抜け検出の検出精度の高い差込プラグ抜け検出装置を提供することを目的とするものである。【解決手段】  本発明は、電源の受給または供給を行うプラグ受け８と、該プラグ受け８に接続され電源ケーブル５に繋がる差込プラグ６との接続状態を検出する装置１において、前記装置１は、前記プラグ受け８側と当接し、前記プラグ受け８と前記差込プラグ６との接続状態を位置情報として誘導するための誘導部２と、前記誘導部２からの位置情報を検出する検出部３と、前記検出部３によって検出された検出結果を表示する表示部４とを少なくとも備え、前記誘導部２と前記検出部３と前記表示部４とを一体として前記差込プラグ６に設けることを特徴とする差込プラグ抜け検出装置１により上記の課題を解決した。【選択図】  図５
2014182912.tif 000002
【特許請求の範囲】
【請求項１】
電源の受給または供給を行うプラグ受けと、該プラグ受けに接続され電源ケーブルに繋がる差込プラグとの接続状態を検出する装置において、前記装置は、前記プラグ受け側と当接し、前記プラグ受けと前記差込プラグとの接続状態を位置情報として誘導するための誘導部と、前記誘導部からの位置情報を検出する検出部と、前記検出部によって検出された検出結果を表示する表示部とを少なくとも備え、前記誘導部と前記検出部と前記表示部とを一体として前記差込プラグに設けることを特徴とする差込プラグ抜け検出装置。
【請求項２】
前記表示部は、音または光、もしくは音と光の両方を表示することを特徴とする請求項１に記載の差込プラグ抜け検出装置。
【請求項３】
前記誘導部が弾性体から形成されていることを特徴とする請求項２に記載の差込プラグ抜け検出装置。
【請求項４】
前記検出部はマイクロスイッチを備え、該マイクロスイッチを前記誘導部によって動作させることを特徴とする請求項１乃至３のいずれか１項に記載の差込プラグ抜け検出装置。
【請求項５】
前記検出部は透過型光センサーを備え、該透過型光センサーを前記誘導部によって動作させることを特徴とする請求項１乃至３のいずれか１項に記載の差込プラグ抜け検出装置。
【請求項６】
前記プラグ受け側であって、前記誘導部の一端と当接する部分に検知補助部を設けたことを特徴とする請求項１乃至５のいずれか１項に記載の差込プラグ抜け検出装置。
【請求項７】
前記誘導部と前記検出部と前記表示部とが前記差込プラグに対して取り外し可能な取付型の構造を有していることを特徴とする請求項１乃至６のいずれか１項に記載の差込プラグ抜け検出装置。
【請求項８】
前記誘導部と前記検出部と前記表示部とが前記差込プラグに対して取り外し不可能な一体型の構造を有していることを特徴とする請求項１乃至６のいずれか１項に記載の差込プラグ抜け検出装置。
【発明の詳細な説明】
【技術分野】
【０００１】
本発明は、差込プラグの抜け検出装置に関するもので、さらに詳しくは、プラグ受けに繋がる差込プラグの脱落防止のための抜けを検出する装置に関するものである。
なお、本発明の差込プラグとは、電子機器に対して接続し、電源を供給するための差込器具、あるいは商用電源の差込口に対して接続し、電源を受給するための差込器具の総称である。
また、本発明のプラグ受けとは、前記差込プラグと接続される器具であって、電子機器側に設けられる接続器具、あるいは商用電源側に設けられる接続器具の総称である。
【背景技術】
【０００２】
近来、コンピュータ機器等の様々な電子機器が工場などの事業所を始め家庭内でも多く使用されてきている。パソコンやサーバー、通信機器などの機器は、当該機器と電源ケーブルとを差込プラグを介して接続し、該電源ケーブルの他方に繋がる差込プラグをプラグ受けに接続して利用している。
【０００３】
しかしながら、様々な要因、例えば振動とか作業時の接触とか電源ケーブルの自重により差込プラグがプラグ受けから緩くなって移動し、最終的には差込プラグがプラグ受けから抜けてしまうということが生じていた。
【０００４】
差込プラグの抜けが原因で電子機器が停止した際の影響を小さくするためにも、作業時に偶発的あるいは必然的に抜けてしまった場合には、即座に気づく必要がある。
【０００５】
特許文献１には、プラグ抜け防止装置に関する特許が開示されている。すなわち、電源ケーブルと電子機器本体との間に移動量を検知するセンサーを内蔵した装置を配して、本体側のケーブルに引っ張られることによる移動を検知することにより警告音を発するような装置である。
【０００６】
特許文献２には、差込プラグをケースに内蔵し、状態検知スイッチにより差込状態を検知して発光素子が点灯するような検知装置である。
【０００７】
特許文献３には、プラグ受け側の３箇所に不完全な接続をより確実に検出することができる差込検出ボタンが設置されており、差込プラグがプラグ受けに対して不完全な接続状態の時にＬＥＤの点灯及びブザーの鳴動により異常を検知するシステムになっている。
【先行技術文献】
【特許文献】
【０００８】
【特許文献１】特開２００６−１２１８７１号公報
【特許文献２】特開平３−２４２７９５号公報
【特許文献３】特開２００８−３０５６８４号公報
【発明の概要】
【発明が解決しようとする課題】
【０００９】
しかしながら、特許文献１〜３のように従来のものは、差込プラグ自体をプラグ受けに対して自由に抜き差しすることが困難であったり、あるいは、電子機器本体側の改良が必要であったりするという課題がある。
そこで本発明は、電源ケーブルに繋がる種々の差込プラグに容易に装着可能で、安価で、抜け検出の検出精度の高い差込プラグ抜け検出装置を提供することを目的とするものである。  
【課題を解決するための手段】
【００１０】
本発明に係わる差込プラグ抜け検出装置は、以下の各発明により上記課題を解決した。
なお、以下の各発明に付した括弧内の符号は、図面に付した符号と対応している。
【００１１】
本発明に係わる第１の発明は、電源の受給または供給を行うプラグ受け（８）と、該プラグ受け（８）に接続され電源ケーブル（５）に繋がる差込プラグ（６）との接続状態を検出する装置（１）において、前記装置（１）は、前記プラグ受け（８）側と当接し、前記プラグ受け（８）と前記差込プラグ（６）との接続状態を位置情報として誘導するための誘導部（２）と、前記誘導部（２）からの位置情報を検出する検出部（３）と、前記検出部（３）によって検出された検出結果を表示する表示部（４）とを少なくとも備え、前記誘導部（２）と前記検出部（３）と前記表示部（４）とを一体として前記差込プラグ（６）に設けることを特徴とする差込プラグ抜け検出装置（１）である。  
【００１２】
本発明に係わる第２の発明は、第１の発明において、前記表示部（４）は、音または光、もしくは音と光の両方を表示することを特徴とする差込プラグ抜け検出装置（１）である。  
【００１３】
本発明に係わる第３の発明は、第２の発明において、前記誘導部（２）が弾性体から形成されていることを特徴とする差込プラグ抜け検出装置（１）である。  
【００１４】
本発明に係わる第４の発明は、第１の発明から第３の発明のいずれか１つの発明において、前記検出部（３）はマイクロスイッチ（９）を備え、該マイクロスイッチ（９）を前記誘導部（２）によって動作させることを特徴とする差込プラグ抜け検出装置（１）である。
【００１５】
本発明に係わる第５の発明は、第１の発明から第３の発明のいずれか１つの発明において、前記誘導部（２）内に透過型光センサー（１３）が格納されていることを特徴とする差込プラグ抜け検出装置（１）である。
【００１６】
本発明に係わる第６の発明は、第１の発明から第５の発明のいずれか１つの発明において、前記プラグ受け（８）側であって、前記誘導部（２）の一端と当接する部分に検知補助部（Ｐ）を設けたことを特徴とする差込プラグ抜け検出装置（１）である。
【００１７】
本発明に係わる第７の発明は、第１の発明から第６の発明のいずれか１つの発明において、前記誘導部（２）と前記検出部（３）と前記表示部（４）とが前記差込プラグ（６）に対して取り外し可能な取付型の構造を有していることを特徴とする差込プラグ抜け検出装置（１）である。
【００１８】
本発明に係わる第８の発明は、第１の発明から第６の発明のいずれか１つの発明において、前記誘導部（２）と前記検出部（３）と前記表示部（４）とが前記差込プラグ（６）に対して取り外し不可能な一体型の構造を有していることを特徴とする差込プラグ抜け検出装置（１）である。
【発明の効果】
【００１９】
本発明によれば、機器設置場所において多数の差込プラグの中から差込プラグの抜けを簡単に発見することができるという効果がある。また、安価で取り外しが容易で、かつ検出精度の高い差込プラグ抜け検出装置を提供することができる。
【図面の簡単な説明】
【００２０】
【図１】本発明に係わる配線用差込接続器具の例である。
【図２】本発明に係わる配線用差込接続器具の例である。
【図３】本発明に係わる差込プラグ抜け検出装置における模式図である。
【図４】本発明に係わる差込プラグ抜け検出装置における模式図である。
【図５】本発明に係わる差込プラグ抜け検出装置をプラグ受けに接続した状態を示す模式図である。
【図６】本発明に係わる差込プラグ抜け検出装置をプラグ受けに接続した状態を示す模式図である。
【図７】本発明に係わる差込プラグ抜け検出装置における模式図である。
【図８】本発明に係わる差込プラグ抜け検出装置における回路図である。
【図９】本発明に係わる差込プラグ抜け検出装置における回路図である。
【発明を実施するための形態】
【００２１】
次に、本発明の実施形態について、図面を参照して詳述する。
【００２２】
図１、図２は、本発明の配線用差込接続器具の例である。本発明に係わる差込プラグ抜け検出装置１は、前記従来の配線用差込接続器具に付加して使用する装置である。まず、本発明の装置を付加する対象となる配線用差込接続器具について図１、図２を参照して説明する。
【００２３】
図１のものは、商用電源を供給するためのプラグ受け８ａと、プラグ受け８ａに接続して電源を供給する差込プラグ６ａと、差込プラグ６ａに繋がる電源ケーブル５と、電源ケーブル５の他端に設けられ、電源ケーブル５を電子機器に接続する差込プラグ６ｂとの関係を示している。
【００２４】
図２のものは、電子機器側に設けられ、前記差込プラグ６ｂと接続することで商用電源を受給するためのプラグ受け８ｂとの関係を示している。以下、差込プラグ６ａ、差込プラグ６ｂを総称して差込プラグ６とする。また、プラグ受け８ａとプラグ受け８ｂを総称してプラグ受け８とする。
【００２５】
一般に配線用差込接続器具は、差込プラグ６とプラグ受け８とで構成されており、差込プラグ６をプラグ受け８に対して抜き差しできるようにした接続器具である。
【００２６】
プラグ受け８としては、上記のような配線用差込接続器具に用いられるものの他にコンピュータなどの電子機器や大容量電化製品、例えば、電気洗濯機、衣類乾燥機、レンジ、電気冷蔵庫、食器洗い機、冷暖房機、温水洗浄式便座、電気温水器、自動販売機等に使われるプラグ受けがあり、接地極付プラグ受けもある。このようなプラグ受けとしては、家庭用平行型２極プラグ受け、ＯＡ機器あるいは白物家電等の設置個所に使われるアース端子付プラグ受け、エアコン設置個所等に用いられる大容量プラグ受け等様々なものがある。  
【００２７】
図３は、本発明に係わる差込プラグ抜け検出装置１における模式図である。差込プラグ６に近い電源ケーブルに差込プラグ抜け検出装置１を搭載した様子を示した図である。１は差込プラグ抜け検出装置、２は誘導部、３は検出部、４は表示部、５は電源ケーブル、６は差込プラグ、７は導体刃を表しており、差込プラグ抜け検出装置１は、誘導部２、検出部３、表示部４から構成されている。
【００２８】
図３においては、差込プラグ６をプラグ受け８に接続しない状態を表しており、そのような状態のときは、誘導部２は距離ｄの位置（点線で囲まれた部分）まで達している。誘導部２は、前記距離ｄの位置まで移動するものであればどのようなものでもよい。誘導部２は柔らかいゴム状の弾性体で形成されていてもよく、誘導部２は硬くばね状のもので構成され可動するものでもよい。
【００２９】
図４は、本発明に係わる差込プラグ抜け検出装置における模式図である。すなわち図３において、差込プラグ６をプラグ受け８に緩みなく完全に接続した場合、誘導部２が距離ｄだけ押された状態を表した模式図である。
【００３０】
図５は、本発明に係わる差込プラグ抜け検出装置をプラグ受けに接続した状態を示す模式図である。すなわち、差込プラグ６をプラグ受け８に緩みなく完全に接続した状態を表した模式図である。
【００３１】
図６は、本発明に係わる差込プラグ抜け検出装置をプラグ受けに接続した状態を示す模式図である。図６において、検出部３とプラグ受け８との距離が一定以上有する場合、プラグ受け８側に検知補助部Ｐを設け、検出の感度を調整するようにしたものである。
【００３２】
図７は、本発明に係わる差込プラグ抜け検出装置をプラグ受けに接続した状態を示す模式図である。差込プラグ６がプラグ受け８から緩んで抜けかかっている状態を表した模式図である。図では差込プラグ６がプラグ受け８よりプラグ受け８に対してほぼ平行に抜けかかっている様子を表しているが、差込プラグ６がプラグ受け８に対して一定の角度を有して抜けかかっていても検出可能である。
【００３３】
図８は、本発明に係わる差込プラグ抜け検出装置１における回路図の第一例である。９はマイクロスイッチ、９Ａはアクチュエータ、１０は制御部、１２は電源を示しており、本発明の検出部３の主要な構成である。表示部４は制御部１０からの信号を受けて動作するものであり、例えばブザーやＬＥＤで構成される。誘導部２が距離ｄだけ移動するとアクチュエータ９Ａに当接し、これに加えられた外力がマイクロスイッチ内部のばね機構に伝達され、電源１２を有する制御部１０を介して表示部４へ伝達されＬＥＤ等の光による表示またはブザー等の警報、あるいはその両方でプラグ抜けを警告する仕組みになっている。
電源１２は、内部電源として電池等を使用することができるが、差込プラグ６からの電気を使用することもできる。    
【００３４】
図９は、本発明に係わる差込プラグ抜け検出装置１における回路図の第二例である。１３は、透過型光センサーを示している。誘導部２が距離ｄだけ移動すると透過型光センサー１３の内側の検出用スリットによって前記移動が検出され、前記センサーの出力を制御部１０で処理し、表示部４を動作させる仕組みになっている。
【００３５】
差込プラグ抜け検出装置１は誘導部２、検出部３、表示部４が一体となった構造を呈しており、差込プラグ６に対して脱着可能な構造とすることで、種々の複数の差込プラグ６に取り付けることも可能である。なお、前述のように脱着可能な構造とせず、差込プラグ抜け検出装置１が差込プラグ６に組み込まれている構造としてもよい。
【符号の説明】
【００３６】
１    差込プラグ抜け検出装置
２    誘導部
３    検出部        
ｄ    移動距離
４    表示部
５    電源ケーブル
６    差込プラグ
７    導体刃
８    プラグ受け
Ｐ    検知補助部
９    マイクロスイッチ
９Ａ    アクチュエータ
１０    制御部
１２    電源
１３    透過型光センサー
【図１】
2014182912.tif 000003
【図２】
2014182912.tif 000004
【図３】
2014182912.tif 000005
【図４】
2014182912.tif 000006
【図５】
2014182912.tif 000007
【図６】
2014182912.tif 000008
【図７】
2014182912.tif 000009
【図８】
2014182912.tif 000010
【図９】
2014182912.tif 000011